(57)【要約】【課題】本発明は、複数の端末と、これらの端末に対応した複数の装置との間に形成された伝送系の端局において、その伝送系との間における所望の伝送情報の引き渡しを実現する端局装置に関し、送系の既存の方式が変更されることなく、確度高く安定に所望の数の端末と装置との間における伝送情報の引き渡しを実現することを目的とする。【解決手段】複数のチャネルの多重伝送に供される変調方式に適合し、かつ前記複数のチャネルを介して個別に伝送されるべき伝送情報、または前記伝送情報および前記伝送情報の識別子を示すシンボルの列を生成するシンボル列生成手段と、前記多重伝送を実現する伝送装置に前記シンボルの列を引き渡す引き渡し手段とを備え、前記シンボルの列は、前記複数のチャネル毎に、予め割り付けられたシンボルで構成される。【選択図】図１
2014236407.tif 000002
【特許請求の範囲】
【請求項１】
複数のチャネルの多重伝送に供される変調方式に適合し、かつ前記複数のチャネルを介して個別に伝送されるべき伝送情報、または前記伝送情報および前記伝送情報の識別子を示すシンボルの列を生成するシンボル列生成手段と、
前記多重伝送を実現する伝送装置に前記シンボルの列を引き渡す引き渡し手段とを備え、
前記シンボルの列は、
前記複数のチャネル毎に、予め割り付けられたシンボルで構成される
ことを特徴とする端局装置。
【請求項２】
請求項１に記載の端局装置において、
前記シンボル列生成手段は、
前記複数のチャネル毎に、前記伝送情報の値を前記予め割り付けられたシンボルで表され得るダイナミックレンジにマッピングする
ことを特徴とする端局装置。
【請求項３】
複数のチャネルの多重伝送に供される伝送路を介して引き渡されたシンボルの列を抽出する抽出手段と、
前記多重伝送の方式に基づいて前記シンボルの列を解析し、前記複数のチャネル毎に、前記複数のチャネルを介して個別に伝送された伝送情報、または前記伝送情報および前記伝送情報の識別子を前記シンボルの列から適宜復元する復元手段とを備え、
前記復元されたシンボルの列は、
前記複数のチャネル毎に、予め割り付けられたシンボルで構成される
ことを特徴とする端局装置。
【請求項４】
請求項３に記載の端局装置において、
前記復元手段は、
前記複数のチャネル毎に、前記復元されたシンボルの列を前記多重伝送に供される変調方式の信号点配置で表されるダイナミックレンジにマッピングする
ことを特徴とする端局装置。
【請求項５】
請求項１ないし請求項４に記載の端局装置において、
前記伝送情報には、
前記伝送路のシグナリング信号として前記伝送路を介して引き渡され得る情報が含まれる
ことを特徴とする端局装置。
【発明の詳細な説明】
【技術分野】
【０００１】
本発明は、複数の端末と、これらの端末に対応した複数の装置との間に形成された伝送系の端局において、その伝送系との間における所望の伝送情報の引き渡しを実現する端局装置に関する。
【背景技術】
【０００２】
地理的に隔たったサイトに設置された無線機を介する通信は、例えば、音声等の伝送情報と、プレス信号等の制御信号とをその無線機に引き渡す搬送回線を介して実現される。
図４は、無線機の遠隔操作による運用を実現する系の構成例を示す図である。
【０００３】
図において、サイト５０Ｓと、そのサイト５０Ｓに地理的に隔たったサイト５０Ｒとの間には、搬送回線６０Ａ、６０Ｂが敷設される。
サイト５０Ｓでは、遠隔制御器５１Ａ-S、５１Ｂ-Sは、それぞれ端局装置５２Ａ-S、５２Ｂ-Sを介して伝送装置５３-Sの対応するポートに接続される。その伝送装置５３-Sは、上記搬送回線６０Ａ、６０Ｂの一端に接続される。
【０００４】
一方、サイト５０Ｒでは、上記搬送回線６０Ａ、６０Ｂの他端が、伝送装置５３-Rの対応するポートに接続される。伝送装置５３-R第一のポートは、端局装置５２Ａ-Rを介して無線機５４Ａ-Rの変復調端子および制御端子に接続される。伝送装置５３-R第二のポートは、端局装置５２Ｂ-Rを介して無線機５４Ｂ-Rの変復調端子および制御端子に接続される。無線機５４Ａ-R、５４Ｂ-Rのアンテナ端子には、アンテナ５５Ａ-R、５５Ｂ-Rの給電点に接続される。
【０００５】
以下では、各符号に付加された第一の添え文字「Ａ」、「Ｂ」の何れにも当てはまる事項については、これらの添え文字「Ａ」、「Ｂ」の何れに該当し得ることを意味する添え文字「ｃ」を用いて記述する。
【０００６】
このような構成の系では、搬送回線６０ｃには、例えば、４線式の信号方式４WＥ＆Ｍが適用される。
【０００７】
また、搬送回線６０ｃの下りのライン信号は、遠隔制御器５１ｃ-Sから端局装置５２ｃ-S、伝送装置５３-S、搬送回線６０ｃ、伝送装置５３-Rおよび端局装置５２ｃ-Rを介して無線機５４ｃ-Rに引き渡されるプレス信号として適用される。
【０００８】
さらに、搬送回線６０ｃの上りのライン信号は、無線機５４ｃ-Rから端局装置５２ｃ-R、伝送装置５３-R、搬送回線６０ｃ、伝送装置５３-Sおよび端局装置５２ｃ-Sを介して遠隔制御器５１ｃ-Sに引き渡され、かつそのアンテナ５５ｃ-Rに到来して無線基地５４ｃ-Rによって受信された受信波のレベルが既定の閾値以上であるか否かを示す２値信号として適用される。
【０００９】
一方、遠隔制御器５１ｃ-Sに備えられたマイク（図示されない。）に向かって操作者が発した音声は、その遠隔制御器５１ｃ-Sによって音声信号（以下、「下り音声信号」という。）に変換される。
【００１０】
端局装置５２ｃ-Sは、図５(ａ)に示す下記の２つの信号を生成する。
(1) 上記下り音声信号に基づいて所定の搬送波信号を１６ＱＡＭ変調することによって得られた変調信号（以下、「下りインバンド信号」という。）
(2) 既述のプレス信号に相当するライン信号（以下、「下りライン信号」という。）
【００１１】
伝送装置５３-Sは、上記下りインバンド信号および下りライン信号を搬送回線６０ｃに引き渡す。
【００１２】
サイト５０Ｒでは、伝送装置５３-Rは、これらの下りインバンド信号および下りライン信号を端局装置５２ｃ-Rに引き渡す。
【００１３】
端局装置５２ｃ-Rは、以下の処理を行う。
(1) 下りインバンド信号を復調することにより下り音声信号を復元する。
(2) 下りライン信号を２値信号に変換する。
【００１４】
無線機５４ｃ-Rは、上記２値信号をプレス信号として識別し、かつ下り音声信号で変調された無線信号（以下、「下り無線信号」という。）を生成して、アンテナ５５ｃ-Rから放射する。
【００１５】
無線機５４ｃ-Rおよびアンテナ５５ｃ-Rによって形成される無線ゾーン内に位置する無線端末装置は、上記下り無線信号を復調することによって下り音声信号を復元し、レシーバまたはスピーカを介して操作者に伝達する。
【００１６】
また、この無線端末装置は、操作者が発した音声を音声信号（以下、「上り音声信号」という。）に変換し、その上り音声信号で変調された無線信号（以下、「上り無線信号」という。）を送信する。
【００１７】
サイト５０Ｒでは、無線機５４ｃ-Rは、下記の処理を行う。
(1) アンテナ５５ｃ-Rに到来した上り無線信号を復調することによって上り音声信号を復元する。
(2) その上り無線信号のレベルが規定の閾値を上回っているか否かを判定し、その判定の結果を示す２値信号（以下、「上り２値信号」という。）を生成する。
【００１８】
端局装置５２ｃ-Rは、下記の処理を行う。
(1) 上り音声信号に基づいて所定の搬送波信号を１６ＱＡＭ変調することによって、変調信号（以下、「上りインバンド信号」という。）を生成する。
(2) 既述のプレス信号に対応し、かつ対をなすライン信号（以下、「上りライン信号」という。）を生成する。
【００１９】
伝送装置５３-Rは、図５(ｂ)に示す上りインバンド信号および上りライン信号を搬送回線６０ｃに引き渡す。
【００２０】
サイト５０Ｓでは、伝送装置５３-Sは、これらの上りインバンド信号および上りライン信号を端局装置５２ｃ-Sに引き渡す。
【００２１】
端局装置５２ｃ-Sは、以下の処理を行う。
(1) 上りインバンド信号を復調することにより上り音声信号を復元する。
(2) 上りライン信号から既述の上り２値信号を復元する。
【００２２】
遠隔制御器５１ｃ-Sは、上り２値信号に所定の処理を施すことによって、所望の通信制御に適用し、かつレシーバまたはスピーカを介して操作者に上り音声信号を伝達する。
【００２３】
したがって、従来例によれば、搬送回線６０ｃを介して地理的に隔たったサイト５０Ｒに配置された無線機５４ｃ-Rを介する音声通信が実現される。
【００２４】
また、このような系では、音声通信ではなくデータ通信に供される場合には、端局装置５２ｃ-S（５２ｃ-R）は、遠隔制御器５１ｃ-S（無線機５４ｃ-R）の配下で、以下の処理を行う。
【００２５】
(1) 図５(ｃ)に示すように、搬送回線６０ｃの伝送帯域の全てがデータ伝送に適用されるべきことを伝送装置５３-S（５３-R）に指示する。
(2) 遠隔制御器５１ｃ-S（無線機５４ｃ-R）と相互に引き渡されるべき下りデータ信号（上りデータ信号）の変調や復調に、既述の１６ＱＡＭに代わる好適な変復調方式を適用する。
【００２６】
さらに、音声通信とデータ通信との何れもが適宜切り替えられて行われるべき場合には、サイト５０Ｓ、５０Ｒの間には、音声通信とデータ通信用とのためにそれぞれ用いられるべき個別の搬送回線が敷設され、しかも、端局装置５２ｃ-S、５２ｃ-Rには、通信の形態が音声通信とデータ通信との何れであるかに応じて、これらの搬送回線の一方を選択する手段が備えられる。
【００２７】
なお、本発明に関連する先行技術としては、後述する特許文献１があった。
特許文献１に係る信号点マッピング方法は、「符号化された情報を信号点にマッピングし、所定のデジタル変調方式でデジタル変調し、伝送するシステムに用いられる信号点マッピング方法において、前記信号点を複数のサブセットに分割し、２以上の前記信号点を有する第１のサブセットを、原点を中心として、角度φだけ回転したとき、２以上の前記信号点が、第２のサブセットの２以上の前記信号点と対応するように、前記第１のサブセットと第２のサブセットを点対称になるように構成するとともに、前記第２のサブセットと、角度φだけ回転したときの前記第１のサブセットの信号点のパラレルパスに対応するＭＳＢ側のビットを一致させる」ことによって、「迅速にパラレルパスに対応する情報を検出できる」点に特徴がある。
【先行技術文献】
【特許文献】
【００２８】
【特許文献１】特開平０７−２４５６３５号公報
【発明の概要】
【発明が解決しようとする課題】
【００２９】
ところで、上述した従来例では、遠隔制御器５１ｃ-Sと無線機５４ｃ-Rとの間で、既述のプレス信号や２値信号の他に、以下のような情報が引き渡されなければならない場合がある。
【００３０】
(1) 無線機５４ｃ-Rに対するチャネル、送信電力、変調方式の設定等のために引き渡される制御情報
(2) 無線機５４ｃ-Rによって受信された無線信号のレベルや伝送品質、あるいはその無線機５４ｃ-Rの状態を示すステータス情報
【００３１】
これらの情報の引き渡しは、例えば、別途敷設された搬送回線を介して実現可能であるが、コスト高であり、特に、サイト５０Ｒに設置されるべき無線機の台数が多いほど、確保可能な搬送回線の数の制約により実現が阻まれる可能性があった。
【００３２】
なお、引き渡されるべき情報の情報量が少なく、あるいは実時間性が要求されない場合には、これらの情報の引き渡しは、例えば、以下のようにして実現され得る。
(1) 既述のプレス信号や２値信号と共に多重化され、ライン信号として直列伝送される。
(2) 音声信号と共にインバンドを介して多重伝送される。
【００３３】
しかし、上記(1) の直列伝送では、構成が複雑となってコスト高となり、しかも、十分に高い伝送速度が確保されるとは限らなかった。
【００３４】
また、上記(2) の多重伝送では、逆多重化等の実現のために構成が複雑化してコスト高となる可能性が高かった。
【００３５】
本発明は、伝送系の既存の方式が変更されることなく、確度高く安定に所望の数の端末と装置との間における伝送情報の引き渡しを実現する端局装置を提供することを目的とする。
【課題を解決するための手段】
【００３６】
請求項１に記載の発明では、シンボル列生成手段は、複数のチャネルの多重伝送に供される変調方式に適合し、かつ前記複数のチャネルを介して個別に伝送されるべき伝送情報、または前記伝送情報および前記伝送情報の識別子を示すシンボルの列を生成する。引き渡し手段は、前記多重伝送を実現する伝送装置に前記シンボルの列を引き渡す。前記シンボルの列は、前記複数のチャネル毎に、予め割り付けられたシンボルで構成される。
【００３７】
すなわち、本来的に異なるチャネルを介して個別に伝送されるべき伝送情報やその伝送情報の識別子は、伝送方式に変更を伴うことなく、かつ信号空間上に予め割り付けられた信号点の列として共通の伝送路を介して多重伝送される。
【００３８】
請求項２に記載の発明では、請求項１に記載の端局装置において、前記シンボル列生成手段は、前記複数のチャネル毎に、前記伝送情報の値を前記予め割り付けられたシンボルで表され得るダイナミックレンジにマッピングする。
【００３９】
すなわち、信号点の組み合わせが送信端において複数のチャネルに割り付けられても、個々の伝送情報のダイナミックレンジの目減りが軽減され、あるいは補償される。
【００４０】
請求項３に記載の発明では、抽出手段は、複数のチャネルの多重伝送に供される伝送路を介して引き渡されたシンボルの列を抽出する。復元手段は、前記多重伝送の方式に基づいて前記シンボルの列を解析し、前記複数のチャネル毎に、前記複数のチャネルを介して個別に伝送された伝送情報、または前記伝送情報および前記伝送情報の識別子を前記シンボルの列から適宜復元する。前記復元されたシンボルの列は、前記複数のチャネル毎に、予め割り付けられたシンボルで構成される。
【００４１】
すなわち、本来的に異なるチャネルを介して個別に伝送されるべき伝送情報やその伝送情報の識別子は、伝送方式に変更を伴うことなく、かつ信号空間上に予め割り付けられた信号点の列として、共通の伝送路を介して多重伝送される。
【００４２】
請求項４に記載の発明では、請求項３に記載の端局装置において、前記復元手段は、前記複数のチャネル毎に、前記復元されたシンボルの列を前記多重伝送に供される変調方式の信号点配置で表されるダイナミックレンジにマッピングする。
【００４３】
すなわち、信号点の組み合わせが送信端において複数のチャネルに割り付けられても、個々の伝送情報のダイナミックレンジの目減りが軽減され、あるいは補償される。
【００４４】
請求項５に記載の発明では、請求項１ないし請求項４に記載の端局装置において、前記伝送情報には、前記伝送路のシグナリング信号として前記伝送路を介して引き渡され得る情報が含まれる。
【００４５】
すなわち、伝送路上では、本来、シグナリング信号と伝送されるべき情報が伝送情報に多重化され、あるいはその伝送情報の一部として伝送される。
【発明の効果】
【００４６】
本発明では、異なるチャネルを介して個別に伝送されるべき伝送情報やその伝送情報の識別子の数が多く、あるいはこれらの伝送情報やその伝送情報の識別子の伝送に要する伝送路の数が少なく抑えられる。
また、本発明では、伝送品質の低下が低く安定に維持される。
さらに、本発明では、シグナリング信号の伝送のために本来適用されるべき伝送帯域も、伝送情報の伝送に併せて適用可能となる。
したがって、本発明が適用された系では、構成が大幅に複雑化することなく既存の伝送方式との互換性が維持されつつ、伝送の対象となる情報の情報量、あるいはこれらの情報の送信端や受信端の多様な数および増減に対する柔軟な適応が安価に可能となる。
【図面の簡単な説明】
【００４７】
【図１】本発明の一実施形態を示す図である。
【図２】本実施形態において搬送回線に適用される伝送方式を説明する図である。
【図３】本実施形態における端局装置の動作フローチャートである。
【図４】無線機の遠隔操作による運用を実現する系の構成例を示す図である。
【図５】従来例において搬送回線に適用される伝送方式を説明する図である。
【発明を実施するための形態】
【００４８】
以下、図面に基づいて本発明の実施形態について詳細に説明する。
図１は、本発明の一実施形態を示す図である。
図において、図４に示すものと機能および構成が同じものについては、同じ符号を付与し、ここでは、その説明を省略する。
【００４９】
本実施形態と図４に示す従来例との構成の相違点は、以下の点にある。
(1) サイト５０Ｓ、５０Ｒは、サイト１０Ｓ、１０Ｒとして構成される。
(2) これらのサイト１０Ｓ、１０Ｒ（伝送装置５３Ｓ、５３Ｒ）の間には、搬送回線６０Ａのみが敷設され、搬送回線６０Ｂは敷設されない。
【００５０】
(3) サイト１０Ｓの構成は、以下の点で図４に示すサイト５０Ｓの構成と異なる。
(3-1) 端局装置５２Ａ-S、５２B-Sに代えて、端局装置１１-Sが備えられる。
(3-2) 遠隔制御器５１Ａ-S、５１Ｂ-Sは、何れも端局装置１１-Sの対応するポートに接続される。
【００５１】
(4) サイト１０Ｒの構成は、以下の点で図４に示すサイト５０Ｒの構成と異なる。
(4-1) 端局装置５２Ａ-R、５２Ｂ-Rに代えて、端局装置１１-Rが備えられる。
(4-2) 無線機５４Ａ-R、５４Ｂ-Rの変復調端子および制御端子には、端局装置１１-Rの対応するポートが接続される。
【００５２】
図２は、本実施形態において搬送回線に適用される伝送方式を説明する図である。
図３は、本実施形態における端局装置の動作フローチャートである。
以下、図１ないし図３を参照して本実施形態の動作を説明する。
【００５３】
なお、以下では、各符号に付加された第一の添え文字「Ａ」、「Ｂ」の何れにも当てはまる事項については、これらの添え文字「Ａ」、「Ｂ」の何れに該当し得ることを意味する添え文字「ｃ」を用いて記述する。
【００５４】
本発明の特徴は、本実施形態では、端局装置１１-S、１１-Rが後述する通りに連係することによって、遠隔制御器５１ｃ-Sにおいて地理的に隔たった無線機５４ｃ-Rを介する音声通信を実現するために、搬送回線６０Ａが共用される点にある。
【００５５】
端局装置１１-Sは、遠隔制御器５１Ａ-S、５１Ｂ-Sによってそれぞれ与えられる以下の信号を交互に所定の周期でサンプリングし、そのサンプリングの下で得られた各信号に後述する処理を施すことによって、既述の下りインバンド信号の代替信号（以下、「代替下りインバンド信号」という。）を生成する（図３ステップＳ１）。
【００５６】
(1) 制御信号（プレス信号を含む。）
(2) 伝送情報（音声信号またはデータ信号）
【００５７】
なお、以下では、これらの制御信号（プレス信号を含む。）や伝送情報（音声信号またはデータ信号）については、遠隔制御器５１Ａ-S、５１Ｂ-Sの内、供給元に該当する一方を明確に示すために、添え文字「Ａ」、「Ｂ」の何れかを付記する。
【００５８】
また、代替下りインバンド信号は、図２(ａ)に示すように、従来例との互換性がある１６ＱＡＭ変調波として生成される。
〔端局装置１１-Sによる「代替下りインバンド信号」の生成〕
【００５９】
(1) 遠隔制御器５１Ａ-Sによって与えられたプレス信号がとり得る２値については、特定のシンボル値「０１１」、「１１１」が既定の順列で含まれるユニークな２通りのシンボル列（以下、「プレスシンボル列Ａ＋」、「プレスシンボル列Ａ−」という。）に変換する（図３ステップＳ２）。ただし、これらの「プレスシンボル列Ａ＋」、「プレスシンボル列Ａ−」は、他の全てのシンボル列との相互相関が十分に小さく設定される。
【００６０】
(2) 遠隔制御器５１Ｂ-Sによって与えられたプレス信号がとり得る２値については、特定のシンボル値「０１１」、「１１１」が既定の順列で含まれるユニークな２通りのシンボル列（以下、「プレスシンボル列Ｂ＋」、「プレスシンボル列Ｂ−」という。）に変換する（図３ステップＳ３）。ただし、これらの「プレスシンボル列Ｂ＋」、「プレスシンボル列Ｂ−」は、他の全てのシンボル列との相互相関が十分に小さく設定される。
【００６１】
(3) 遠隔制御器５１Ａ-Sによって与えられた音声信号（以下、「音声信号Ａ」という。）については、従来例におけるサンプリング周波数の半分のサンプリング周波数で８値（３ビット長）のシンボル列（以下、「下り音声シンボル列Ａ」という。）に変換する（図３ステップＳ４）。
【００６２】
(4) 遠隔制御器５１Ｂ-Sによって与えられた音声信号（以下、「音声信号Ｂ」という。）については、従来例のサンプリング周波数の半分のサンプリング周波数で８値（３ビット長）のシンボル列（以下、「下り音声シンボル列Ｂ」という。）に変換する（図３ステップＳ５）。
【００６３】
(5) 「プレスシンボル列Ａ＋」、「プレスシンボル列Ａ−」および「下り音声シンボル列Ａ」に含まれる個々のシンボルについては、図２(ａ)に一点鎖線枠で示すように、信号空間上における１６ＱＡＭ変調波がとり得る１６通りの信号点が８通りずつに区分されて構成されるグループＡのシンボルにマッピングすることによって、時系列の順に配置する（図３ステップＳ６）。
【００６４】
(6) 「プレスシンボル列Ｂ＋」、「プレスシンボル列Ｂ−」および「下り音声シンボル列Ｂ」に含まれる個々のシンボルについては、図２(ａ)に示すように、信号空間上における１６ＱＡＭ変調波がとり得る１６通りの信号点が８通りずつに区分されて構成されるグループＢに属するシンボルにマッピングすることによって、その信号空間上に時系列の順に配置する（図３ステップＳ７）。
【００６５】
(7) なお、上記特定のシンボル値「０１１」、「１１１」については、供給元が遠隔制御器５１Ａ-Sである場合には、図２(ａ)に点線枠で示す２つの信号点にそれぞれマッピングし、供給元が反対に遠隔制御器５１Ｂ-Sである場合には、図２(ａ)に破線枠で示す２つの信号点にそれぞれマッピングする（図３ステップＳ８）。
【００６６】
したがって、遠隔制御器５１Ａ-S、５１Ｂ-Sによって個別に与えられるプレス信号および音声信号は、これらの遠隔制御器５１Ａ-S、５１Ｂ-Sにそれぞれ割り付けられた８つずつの信号点の何れかで示され、かつ従来例と互換性がある１６ＱＡＭ変調波のシンボルの列に変換される。
【００６７】
端局装置１１-Sは、伝送装置５３-Sおよび搬送回線６０Ａを介してサイト１０Ｒに、これらのシンボルの列を引き渡す（図３ステップＳ９）。
サイト１０Ｒでは、端局装置１１-Rは、伝送装置５３-Rを介して引き渡された上記シンボルの列に以下の処理を施す。
【００６８】
(1) 伝送装置５３-Rから時系列の順に引き渡されたシンボルの値を、図２(ａ)に示すグループＡ、Ｂに区分する（図３ステップＳ１０）。以下、このようにして区分されたシンボルの列を「シンボル列Ａ」、「シンボル列Ｂ」と称する。
(2) シンボル列Ａについては、以下の処理を施す。
【００６９】
(2-1) 既知の「プレスシンボル列Ａ＋」、「プレスシンボル列Ａ−」との相互相関をとることによって、プレス信号（以下、「プレス信号Ａ」という。）の論理値を復元し、無線機５４Ａ-Rに与える（図３ステップＳ１１）。
【００７０】
(2-2) 上記「プレスシンボル列Ａ＋」、「プレスシンボル列Ａ−」との相関性がないシンボルについては、グループＡに属する８通りのシンボルに対応した８ＱＡＭ変調波と見なして復調することにより、音声信号Ａを復元し、かつ無線機５４Ａ-Rの変調端子に与える（図３ステップＳ１２）。
【００７１】
(3) シンボル列Ｂについても、同様に以下の処理を施す。
(3-1) 既知の「プレスシンボル列Ｂ＋」、「プレスシンボル列Ｂ−」との相互相関をとることによって、プレス信号（以下、「プレス信号Ｂ」という。）の論理値を復元し、無線機５４Ａ-Rに与える（図３ステップＳ１３）。
【００７２】
(3-2) 上記「プレスシンボル列Ｂ＋」、「プレスシンボル列Ｂ−」との相関性がないシンボルについては、グループＢに属する８通りのシンボルに対応した８ＱＡＭ変調波と見なして復調することにより、音声信号Ｂを復元し、かつ無線機５４Ｂ-Rの変調端子に与える（図３ステップＳ１４）。
【００７３】
また、図示されない無線端末からアンテナ５５Ａ-R、５５Ｂ-Rに個別に到来した無線信号が無線機５４Ａ-R、５４B-Rによって受信されることによって得られたプレス信号および音声信号は、端局装置１１-R、伝送装置５３-R、５３-Sおよび端局装置１１-Sが既述の処理と反対の処理を行うことによって、遠隔制御器５１Ａ-S、５１B-Sに引き渡される。
【００７４】
すなわち、無線機５４Ａ-R、５４Ｂ-Rは、地理的に隔たったサイト１０Ｓに設置され、かつ１つの搬送回線６０Ａを介して連係する遠隔制御器５１Ａ-S、５１Ｂ-Sの配下で音声通信に供される。
【００７５】
しかも、このような搬送回線６０Ａは、プレス信号および音声信号がインバンド信号とし引き渡され、そのインバンド信号は従来例と同様に１６ＱＡＭ信号と見なされ得る。
【００７６】
したがって、本実施形態によれば、搬送回線の伝送容量が活用されることにより、２つの無線機５４Ａ-R、５４B-Rの遠隔操作による音声通信が安価に実現される。
【００７７】
さらに、本実施形態では、遠隔操作され、かつ並行して稼働すべき無線機の台数が多数であったり、増加しても、搬送回線の数が最小限度に抑えられ、コストの無用な増加が回避される。
【００７８】
なお、本実施形態では、音声信号Ａ、Ｂは、それぞれ従来例におけるサンプリング周波数の半分のサンプリング周波数で８値（３ビット長）の「下り音声シンボル列Ａ」、「下り音声シンボル列Ｂ」にそれぞれ変換されている。
【００７９】
しかし、これらの音声信号Ａ、Ｂは、何れも、例えば、圧縮符号化や予測符号化が施されることにより、上記「下り音声シンボル列Ａ」、「下り音声シンボル列Ｂ」に該当するシンボル列に変換されてもよい。
【００８０】
また、本実施形態では、遠隔制御器および無線機の台数が「２」となっているが、本発明は、このような台数は「３」以上の如何なる値であっも、本発明の適用により所要する搬送回線の数を最小限度が抑えるために適用可能である。
【００８１】
さらに、本発明は、無線機５４Ａ-R、５４Ｂ-Rが、送信または受信の何れかのみを行う場合にも、適用可能である。
【００８２】
また、本発明は、無線機５４Ａ-R、５４Ｂ-Rに代えて有線伝送装置、光伝送装置、網終端装置等が備えられる場合にも、同様に適用可能である。
【００８３】
さらに、本実施形態は、無線機毎に信号点の配分が可能であるならば、１６ＱＡＭに限定されず、如何なる信号点配置や変調方式が適用されてもよい。
【００８４】
また、本実施形態では、搬送回線６０Ａを介して引き渡される伝送情報は、如何なる形式のフレームやパケットに配置されてもよく、これらのフレームやパケット上に複数の無線機を介して無線伝送されるべき伝送情報が論理多重化されてもよい。
【００８５】
さらに、本実施形態では、既述の「プレスシンボル列Ａ＋」、「プレスシンボル列Ａ−」、「プレスシンボル列Ｂ＋」、「プレスシンボル列Ｂ−」に含まれる特定のシンボルは、遠隔制御器５１Ａ-S、５１Ｂ-S（無線機５４Ａ-R、５４Ｂ-R）に割り付けられた個別のシンボルでなくてもよく、例えば、両者に共通のシンボルが含まれてもよい。
【００８６】
また、上記「プレスシンボル列Ａ＋」、「プレスシンボル列Ａ−」、「プレスシンボル列Ｂ＋」、「プレスシンボル列Ｂ−」は、何れも、ユニークであって、音声信号に割り付けられていない特定のシンボルのみで構成されてもよい。なお、このような構成では、例えば、伝送速度が１９．２ｋｂｐｓであって、１６ＱＡＭ変調波がとり得る１６通りの信号点の内、４シンボルが特定のシンボルとして適用され、かつ残りの１２シンボルだけが音声の伝送に適用されても、７２００（＝19200・12／16／2）ｂｐｓ程度の音声コード化が可能である。
【００８７】
さらに、「プレスシンボル列Ａ＋」と「プレスシンボル列Ａ−」との相互相関、またはこれらの「プレスシンボル列Ａ＋」や「プレスシンボル列Ａ−」と音声信号を示すシンボルの列との相互相関が十分には小さくない場合には、前方保護や後方保護の適用により、識別の確度が高められてもよい。
【００８８】
また、本実施形態では、搬送回線６０Ａの伝送方式、多元接続方式、信号方式および変調方式は、所望の伝送速度および信頼性が確保されるならば、如何なるものであってもよい。
【００８９】
さらに、本発明は、音声通信に限定されず、データ通信にも同様に適用可能である。
また、本発明では、所定のフレーム構成により受信端で識別可能なシンボル列としてプレス信号が伝送され、そのシンボル列は、既述の特定のシンボルを含むことなく構成されてもよい。
【００９０】
また、本発明は、上述した実施形態に限定されず、本発明の範囲において多様な実施形態の構成が可能であり、構成要素の全てまたは一部に如何なる改良が施されてもよい。
【符号の説明】
【００９１】
１０Ｓ，１０Ｒ，５０Ｓ，５０Ｒ  サイト
１１，５２Ａ，５２Ｂ  端局装置
５１Ａ，５１Ｂ  遠隔制御器
５３  伝送装置
５４Ａ，５４Ｂ  無線機
５５Ａ，５５Ｂ  アンテナ
【図１】
2014236407.tif 000003
【図２】
2014236407.tif 000004
【図３】
2014236407.tif 000005
【図４】
2014236407.tif 000006
【図５】
2014236407.tif 000007